(57)【要約】【課題】紛失した端末が周囲への報知動作、待機電力による電力消費により、発見される前に電池が切れ、発見の可能性が低くなることを回避する。【解決手段】本発明の紛失端末の所在通知システムは、識別番号を備える携帯通信端末2と近距離無線通信を行う近距離無線通信部11と、前記近距離無線通信部11により所定時間間隔で定期的に通信可能な携帯通信端末2を前記識別番号と共に検出する探索制御部14と、前記近距離無線通信部11が検出した前記識別番号と、検出した時刻を記憶する探索履歴部121と、鳴動する報知部13とを備える。このことにより、前記探索履歴部121に記憶された情報を元に、紛失端末の周囲に人がいる時間を予測して、周囲に存在する端末を探索し、報知することができ、端末の検出を期待できない時間を避け、検出を期待できる時間帯により多く探索、鳴動することにより、紛失した端末が発見される確率を高めることができる。【選択図】図２
2011146770.tif 000002
【特許請求の範囲】
【請求項１】
識別番号を備える携帯通信端末と近距離無線通信を行う近距離無線通信部と、
前記近距離無線通信部により、所定時間間隔で定期的に通信可能な携帯通信端末を前記識別番号と共に検出する探索部と、
前記探索部が検出した前記識別番号と、検出した時刻を記憶する探索履歴部と、
鳴動する報知部と、
を備え、
前記探索履歴部に記憶された携帯通信端末が所定回数未満連続して検出された携帯通信端末である場合、前記報知部は鳴動し、
前記探索履歴部に記憶された携帯通信端末が前記所定回数以上連続して検出された携帯通信端末である場合、前記報知部は鳴動しない携帯通信端末。
【請求項２】
請求項１に記載の携帯通信端末であって、
前記所定時間が２４時間以下である
携帯通信端末。
【請求項３】
請求項２に記載の携帯通信端末であって、
少なくとも２回以上、２４時間間隔で連続して携帯通信端末を検出しなかった場合、
当該検出しなかった時刻の探索を停止する携帯通信端末
【請求項４】
請求項３に記載の携帯通信端末であって、
所定の２４時間において、全ての探索を停止した場合、
前記所定時間間隔で、通信可能な携帯通信端末の検出を再開する携帯通信端末。
【請求項５】
請求項４に記載の携帯通信端末であって、
探索する時刻は、探索の停止前と再開後では前記所定時間よりも短いシフト時間、シフトされた携帯通信端末。
【請求項６】
請求項３に記載の携帯通信端末であって、
所定の２４時間における最低の探索回数を最低探索回数とし、
前記所定の２４時間において、探索する回数が前記最低探索回数未満である場合、
前記探索する時刻の前後に、前記所定時間よりも短いシフト時間、シフトした時刻に、探索を追加する携帯通信端末。
【請求項７】
請求項２に記載の携帯通信端末であって、
少なくとも２回以上、２４時間間隔で連続して携帯通信端末を検出した場合、
前記連続して携帯通信端末を検出した時刻の前後に、前記所定時間よりも短いシフト時間、シフトした時刻に、探索を追加する携帯通信端末。
【発明の詳細な説明】
【技術分野】
【０００１】
本発明は、紛失した携帯通信端末が近距離無線通信により定期的に周囲の端末を探索、鳴動することで、自らの所在を報知する携帯通信端末に関する。
【背景技術】
【０００２】
近年、携帯電話等の携帯通信端末は、小型化、多機能化が進み、所有者の生活に必要不可欠なものとなってきている。
一方で携帯通信端末は所有者が外出先に携行して使用されることが多いため、外出先で端末を紛失することがしばしば起こりうる。
所有者が紛失した端末を発見するための手段として、特許文献1の、近距離無線通信を使用して他端末からのサーチ信号を受信し、鳴動することで端末の所在を周囲に報知するものが知られている。
しかし、この手段では捜索者自らが紛失した端末に接近する必要があるため、所在が不明な端末を検出することが難しい。
これに対し、特許文献2では近距離無線通信により定期的に周囲に存在する端末を検出する方法が提示されている。
この方法では、捜索者自らが紛失した端末に接近する必要はなく、紛失した端末がその近辺にある端末を自ら検出し、その所有者に対し端末の所在を通知することが出来る。
また、特許文献3では定期的に近距離無線通信を実施して、その履歴を元に、通信が困難と予測される時刻では通信をスキップする方法が提示されている。
これにより、近距離無線通信を行う端末が不必要に通信を行い、電力を消費することを抑制することができる。
【先行技術文献】
【特許文献】
【０００３】
【特許文献１】特開2009-27562号公報
【特許文献２】特開2007-135009号公報
【特許文献３】特開2009-100040号公報
【発明の概要】
【発明が解決しようとする課題】
【０００４】
しかしながら、特許文献2に記載された方法では、検出した端末の周囲に人がいない可能性を考慮していないため、紛失した端末が周囲に人がいないにもかかわらず鳴動を繰り返すことで、発見される前に電池が切れ、発見の可能性が低くなるという問題があった。
また、特許文献3に記載された方法では、履歴により通信が困難と予測される時刻での通信をスキップすることを頻繁に繰り返すことにより、紛失した端末が、近距離無線通信による探索回数が極端に減少し、待機電力による電力消費により、発見される前に電池が切れ、発見の可能性が低くなるという問題があった。
【課題を解決するための手段】
【０００５】
本発明の携帯通信端末は、識別番号を備える携帯通信端末と近距離無線通信を行う近距離無線通信部と、前記近距離無線通信部により、所定時間間隔で定期的に通信可能な携帯通信端末を前記識別番号と共に検出する探索部と、前記探索部が検出した前記識別番号と、検出した時刻を記憶する探索履歴部と、鳴動する報知部と、を備え、前記探索履歴部に記憶された携帯通信端末が所定回数未満連続して検出された携帯通信端末である場合、前記報知部は鳴動し、前記探索履歴部に記憶された携帯通信端末が前記所定回数以上連続して検出された携帯通信端末である場合、前記報知部は鳴動しない。
【０００６】
この構成により、紛失した端末が連続して検出した端末は人が所持していない端末であると識別することで、それらの端末に対し繰り返し鳴動することを抑制し、電力消費を抑え、人が所持している端末が周囲に存在する際に、より多く探索、鳴動することを可能とし、紛失した端末が発見される確率を高めることができる。
【０００７】
また、本発明の携帯通信端末は、前記所定時間が２４時間以下である。
【０００８】
この構成により、紛失した端末が1日の中で複数回探索を行うことで、紛失した端末が置かれている場所において、端末を検出しやすい時間帯(人が周囲にいる時間帯)を履歴として蓄積することができる。
【０００９】
また、本発明の携帯通信端末は、少なくとも２回以上、２４時間間隔で連続して携帯通信端末を検出しなかった場合、当該検出しなかった時刻の探索を停止する。
【００１０】
この構成により、紛失した端末が端末の検出が期待できない時刻における探索を停止することで、探索による電力消費を抑制することができる。
【００１１】
また、本発明の携帯通信端末は、所定の２４時間において、全ての探索を停止した場合、
前記所定時間間隔で、通信可能な携帯通信端末の検出を再開する。
【００１２】
この構成により、紛失した端末が周囲の端末を探索しなくなることを防ぐことで、発見される確率が下がることを軽減することができる。
【００１３】
また、本発明の携帯通信端末は、探索する時刻は、探索の停止前と再開後では前記所定時間よりも短いシフト時間、シフトされる。
【００１４】
この構成により、紛失した端末は、探索停止前の探索時刻が端末を検出できる確率が低いと判断し、その時刻を避けて探索を実行することで、端末の検出、鳴動による紛失端末の発見確率を高めることができる。
【００１５】
また、本発明の携帯通信端末は、所定の２４時間における最低の探索回数を最低探索回数とし、前記所定の２４時間において、探索する回数が前記最低探索回数未満である場合、前記探索する時刻の前後に、前記所定時間よりも短いシフト時間、シフトした時刻に、探索を追加する。
【００１６】
この構成により、探索機会の極端な減少により、紛失した端末が発見される前に待機電力によって電池切れになる可能性を軽減し、端末の検出が期待できる時刻の前後での探索回数を増やすことで、端末の検出、鳴動による紛失端末の発見確率を高めることができる。
【００１７】
また、本発明の携帯通信端末は、少なくとも２回以上、２４時間間隔で連続して携帯通信端末を検出した場合、前記連続して携帯通信端末を検出した時刻の前後に、前記所定時間よりも短いシフト時間、シフトした時刻に、探索を追加する。
【００１８】
この構成により、端末の検出が期待できる時刻の前後での探索回数を増やすことで、端末の検出、鳴動による紛失端末の発見確率を高めることができる。
【発明の効果】
【００１９】
本発明の紛失端末の所在通知システムによれば、紛失した端末が、近距離無線通信により人が所持していない端末を繰り返し検出、鳴動することを抑制し、電力消費を抑えることにより、人が所持している端末が周囲に存在する際に、より多く探索、鳴動することを可能とし、紛失した端末が発見される確率を高めることができる。
また、紛失した端末が、近距離無線通信により端末を探索する機会が極端に減少し、待機電力による電力消費により、発見される前に電池が切れ、発見される可能性が低くなることを抑制するとともに、端末の検出を期待できない時間を避け、発見を期待できる時間帯により多く探索、鳴動することにより、紛失した端末が発見される確率を高めることができる。
【図面の簡単な説明】
【００２０】
【図１】本発明における紛失端末の所在通知システムの全体構成図
【図２】本発明における紛失端末の所在通知システムの詳細構成図
【図３】本発明における所定時間間隔毎の端末探索・鳴動フローチャート図
【図４】本発明における24時間毎の探索時刻更新フローチャート図
【図５】本発明における探索履歴部データ例の構成図
【図６】本発明における探索時刻更新処理時の探索履歴部データ例1の構成図
【図７】本発明における探索時刻更新処理時の探索履歴部データ例2の構成図
【図８】本発明における探索時刻更新処理時の探索履歴部データ例3の構成図
【発明を実施するための形態】
【００２１】
以下、本発明の実施の形態について、図面を参照しながら説明する。
（実施の形態１）
図1は、本発明の実施の形態における紛失端末の所在通知システムの全体構成を示す図である。
本発明の実施の形態における紛失端末の所在通知システムは図1に示すように、携帯通信端末1(紛失した端末)と、携帯通信端末2(紛失した端末の周囲に存在する端末)から構成される。
携帯通信端末1は捜索対象の端末であり、例えば携帯電話のような機器を想定している。
携帯通信端末2は携帯通信端末1と近距離無線通信が可能な無線通信端末であり、例えば、携帯電話、PDA、ノートパソコンなどの機器を想定している。
携帯通信端末1は所定時間間隔で定期的に通信可能な携帯通信端末2を探索し、携帯通信端末2を検出した際は、鳴動することによりその位置を報知し、周囲にいる人に携帯通信端末1の発見を促す。
図2は、本発明の実施の形態における紛失端末の所在通知システムの詳細構成を示す図である。
図2に示すように、本発明の実施の形態における携帯通信端末1は、近距離無線通信部11、記憶部12、報知部13、探索制御部14から構成される。
近距離無線通信部11は、Bluetooth(登録商標)、赤外線などの手段により、所定時間間隔で定期的に、周囲に存在する通信可能な携帯通信端末2を探索する機能を有する。
記憶部12は、近距離無線通信部11が検出した携帯通信端末2の識別番号と検出した時刻を記憶する探索履歴部121と、所定の24時間における最低の探索回数を保持する最低探索回数122から構成される。
報知部13は、近距離無線通信部11が携帯通信端末2を検出した場合に鳴動する機能を有する。
探索制御部14は、所定時間間隔で近距離無線通信部11に探索を指示し、近距離無線通信部11における端末探索の結果を記憶部12に格納し、記憶部12の探索結果を参照して、報知部13に鳴動を指示する機能を有する。
本発明の実施の形態における携帯通信端末2は、近距離無線通信部21を有する。
近距離無線通信部21は、近距離無線通信部11からの探索信号を受信した場合、近距離無線通信部11に応答を返し、携帯通信端末1に携帯通信端末2の存在を通知する。
図3は、本発明の実施の形態における携帯通信端末1の所定時間間隔毎の端末探索・鳴動の動作を説明するフローチャートである。
図3に示すように、探索予定時刻に到達した際に、携帯通信端末1は端末検出数を0に初期化する(S101)。
その後、近距離無線通信部11が通信可能な携帯通信端末2を探索する(S102)。
近距離無線通信部11が通信可能な携帯通信端末2からの応答を受信した場合、携帯通信端末2の識別番号を探索履歴部121に記録する(S103)( S104)。
このとき、探索履歴部121を過去に遡って、前記携帯通信端末2の識別番号が所定の回数(以下L回と定義する)連続して記録されている場合は、端末検出数をインクリメントせず、それ以外の場合は、端末検出数をインクリメントする(S105)(S106)。
これにより、L回連続して検出した端末は、過去にL回、当該端末を検出、鳴動しても、携帯通信端末1を発見するに至らなかったため、鳴動動作により周囲の人による携帯通信端末1の発見が期待できないものと判断し、端末を検出しなかったものとする。
この制御の効果として、L回以上連続して検出した端末に対し、携帯通信端末1が繰り返し鳴動することを抑制し、電力消費を抑え、人が所持している端末が周囲に存在する際に、より多く探索、鳴動することを可能とし、携帯通信端末1が発見される確率を高めることができる。
近距離無線通信部11は周囲に存在する全ての通信可能な携帯通信端末2を検出し、新たな端末を検出しなくなった際に、端末検出数が1以上であるか判定する(S107)。
端末検出数が1以上であった場合、携帯通信端末1は報知部13を介して一定時間鳴動し、前記携帯通信端末1の位置を周囲にいる人に報知し、発見を促す(S108)。
一方で、端末検出数が0の場合、探索履歴部121を過去に遡って、当該時刻で所定の回数(以下M回と定義する)連続して端末検出数が0であるか判定する(S109)。
当該時刻でM回以上連続して端末検出数が0である場合、翌日以降の当該時刻における端末の探索を停止する(S110)。
これにより、携帯通信端末1は、端末の検出が期待できない時刻における探索を停止することで、探索による電力消費を抑制することができる。
図4は、本発明の実施の形態における携帯通信端末1の24時間毎の端末探索時刻更新処理を説明するフローチャートである。
図4に示すように、携帯通信端末1は探索開始から24時間経過毎に所定の24時間の探索回数(当該時刻から24時間先までの探索予定時刻のうち、探索を停止していない時刻の数)が0回であるか判定を行う(S201)。
前記所定の24時間の探索回数が0回の場合、探索予定時刻を一定時間(前記所定時間間隔より短い時間分)シフトした時刻を新たに探索予定時刻として設定する(S202)。
これにより現時刻以降、携帯通信端末1が携帯通信端末2を探索しなくなることを防止する。
また、探索時刻を当初の探索予定時刻からシフトすることにより、過去の探索履歴から端末を検出しないと予想される時刻を回避して探索を行い、端末を検出する可能性を高める。
一方で、前記所定の24時間の探索回数が0回でない場合、最低探索回数122未満であるか判定する(S203)。
前記所定の24時間の探索回数が最低探索回数122未満である場合、探索予定時刻を一定時間(前記所定時間間隔より短い時間分)前後にシフトした時刻を新たに探索予定時刻として設定する (S204)。
これにより、前記所定の24時間における探索回数が最低探索回数122未満に減ることを防止し、探索機会の極端な減少により、紛失した端末が発見される前に待機電力によって電池切れになる可能性を軽減できる。
また、探索履歴部121を過去に遡って、端末を検出した実績のある時刻の周辺でより多く探索を実施し、端末を検出、鳴動する確率を高めることにより、携帯通信端末1が発見される確率を高める。
次に、各探索予定時刻において、探索履歴部121を過去に遡って、所定の回数(以下N回と定義する)連続して端末を検出しているか判定する(S205)。
N回連続して端末を検出している時刻がある場合、当該時刻に対し一定時間(前記所定時間間隔より短い時間分)前後にシフトした時刻を新たに探索予定時刻として設定する(S206)。
これにより、探索履歴部121を過去に遡って、頻繁に端末を検出した実績のある時刻の周辺でより多く探索を実施し、端末を検出、鳴動する確率を高めることにより、携帯通信端末1が発見される確率を高める。
図5は本発明における探索履歴部121のデータ構成例を示す図である。
探索履歴部121は近距離無線通信を実施した時刻と検出した端末の識別番号を記録する。
前記所定の回数Lが3で、12:00から探索を開始した場合、図5の例では、12:00、13:00の探索では同一の端末を3回未満の回数しか検出していないため、報知部13は鳴動を実施する。
14:00の探索で、端末XXX1を3回連続して検出しているため、報知部13は鳴動しない。
また、15:00の探索では端末XXX1を3回以上連続して検出しているが、端末XXX4を3回未満の回数しか検出していないため、報知部13は鳴動する。
図6は本発明における探索時刻更新処理時の探索履歴部のデータ例を示す図であり、探索開始から2日経過し、全ての探索機会において端末を検出しなかった状態を示す図である。
この図では説明の都合上、検出した端末の識別番号ではなく、検出した端末の数を表記している。
前記所定の回数Mが2である場合、2日目の各時刻の探索で端末を検出しなかった際に2回連続で端末を検出しなかったため、翌日の当該時刻での探索を停止する。
これにより、3日目開始時点の探索時刻更新処理では、探索予定の全ての時刻で探索が停止の状態になり、所定の24時間の探索回数が0となる。
従って、3日目は当初の探索時刻を一定時間シフトした時間(探索予定時刻をシフトする時間が30分である場合、12:30、13:30、14:30、15:30、16:30)に探索を行う。
図7は本発明における探索時刻更新処理時の探索履歴部のデータ例を示す図であり、探索開始から2日経過し、全ての探索機会のうち2日目の14:00のみ端末を検出し、他の全ての探索機会では端末を検出しなかった状態を示す図である。
この図では説明の都合上、検出した端末の識別番号ではなく、検出した端末の数を表記している。
前記所定の回数Mが2である場合、3日目開始時点の探索時刻更新処理では、14:00以外の時刻は探索を停止しており、探索回数は1回となる。
最低探索回数122が3である場合、3日目の探索回数は最低探索回数122より少ない。
従って、3日目は探索予定時刻14:00とその前後の時刻(探索予定時刻を前後にシフトする時間が10分である場合、13:50、14:10)に探索を行う。
図8は本発明における探索時刻更新処理時の探索履歴部のデータ例を示す図であり、探索開始から2日経過し、全ての探索機会のうち、15:00は1日目、2日目ともに1個以上の端末を検出した状態を示す図である。
この図では説明の都合上、検出した端末の識別番号ではなく、検出した端末の数を表記している。
前記所定の回数Nが2である場合、15:00は2日連続で端末を検出しており、連続してN回以上端末を検出した状態になる。
従って、3日目は探索予定時刻12:00、14:00、15:00と、2日連続で端末を検出した15:00の前後の時刻(探索予定時刻を前後にシフトする時間が10分である場合、14:50、15:10)に探索を行う。
なお、前述の実施の形態において、２４時間とした記述は、厳密に２４時間である必要はなく、凡そ２４時間であれば良い。即ち、例えば２３時間５９分や24時間１分であっても良い。
【産業上の利用可能性】
【００２２】
本発明は、紛失端末の所在通知システムであって、識別番号を備える携帯通信端末と近距離無線通信を行う近距離無線通信部と、近距離無線通信部により所定時間間隔で定期的に通信可能な携帯通信端末を検出する探索制御部と、検出した識別番号と時刻を記憶する探索履歴部と、鳴動する報知部とを備え、探索履歴部に記憶された情報を元に、紛失端末の周囲に人がいる時間を予測して、周囲に存在する端末を探索し、報知することができ、端末の検出を期待できない時間を避け、検出を期待できる時間帯により多く探索、鳴動することにより、紛失した端末が発見される確率を高める効果を有し、携帯電話やPDA、ノートパソコン等の携帯通信機器への適用が可能である。
【符号の説明】
【００２３】
1    携帯通信端末(紛失端末)
2    携帯通信端末(紛失端末の周囲の端末)
11    近距離無線部(紛失端末側)
12    記憶部
13    報知部
14    探索制御部
21    近距離無線部(紛失端末の周囲の端末側)
121    探索履歴表
122    最低探索回数
【図１】
2011146770.tif 000003
【図２】
2011146770.tif 000004
【図３】
2011146770.tif 000005
【図４】
2011146770.tif 000006
【図５】
2011146770.tif 000007
【図６】
2011146770.tif 000008
【図７】
2011146770.tif 000009
【図８】
2011146770.tif 000010